(57)【特許請求の範囲】
【請求項１】
弾性変形して窄まることができるように先側に向かって次第に広がった状態に配置された導電材からなる一対の弾性開閉部材の各先端部分に電極を設けて、上記一対の弾性開閉部材の間を絶縁材により電気的に絶縁すると共に、互いの間が電気絶縁された一対の導電線を筒状可撓軸内に一緒に挿通配置し、上記筒状可撓軸の先端に上記弾性開閉部材の基端を連結して上記一対の電極と一対の導電線とを電気的に接続したことを特徴とする内視鏡用バイポーラ高周波処置具。
【請求項２】
上記筒状可撓軸が軸線方向に進退自在に可撓性シース内に配置されていて、上記可撓性シース内で上記筒状可撓軸を進退させることにより上記弾性開閉部材が上記可撓性シースの先端から突没して開閉する請求項１記載の内視鏡用バイポーラ高周波処置具。
【発明の詳細な説明】
【０００１】
【発明の属する技術分野】
この発明は、先端部分に正負両電極を有する内視鏡用バイポーラ高周波処置具に関する。
【０００２】
【従来の技術】
内視鏡用高周波処置具は一般に、導電性の操作ワイヤの先端に取り付けられた電極を高周波電源の一方の極に接続し、高周波電源の他方の極には患者の体表面に接触配置された対極板を接続している。
【０００３】
しかし、そのようなモノポーラ式の高周波処置具では、患者の身体を導電体として高周波電流が流れることから、凝固等の必要のない組織部分まで焼灼されてしまう場合があるので、正負両電極が先端に設けられたバイポーラ式の高周波処置具を用いる方が、エネルギ効率及び安全性の上で優れている。
【０００４】
【発明が解決しようとする課題】
しかし、そのような内視鏡用バイポーラ高周波処置具においては、操作ワイヤとして、互いの間が電気的に絶縁された二本の導電線が用いられるのでその腰の強さが不足し、手元側からの押し引き操作により電極を開閉動作させようとするとスムーズに動作しない場合がある。
【０００５】
そこで本発明は、手元側からの押し引き操作によって先端の電極をスムーズに開閉動作させることができる内視鏡用バイポーラ高周波処置具を提供することを目的とする。
【０００６】
【課題を解決するための手段】
上記の目的を達成するため、本発明の内視鏡用バイポーラ高周波処置具は、弾性変形して窄まることができるように先側に向かって次第に広がった状態に配置された導電材からなる一対の弾性開閉部材の各先端部分に電極を設けて、一対の弾性開閉部材の間を絶縁材により電気的に絶縁すると共に、互いの間が電気絶縁された一対の導電線を筒状可撓軸内に一緒に挿通配置し、筒状可撓軸の先端に弾性開閉部材の基端を連結して一対の電極と一対の導電線とを電気的に接続したものである。
【０００７】
なお、筒状可撓軸が軸線方向に進退自在に可撓性シース内に配置されていて、可撓性シース内で筒状可撓軸を進退させることにより弾性開閉部材が可撓性シースの先端から突没して開閉するように構成してもよい。
【０００８】
【発明の実施の形態】
図面を参照して本発明の実施例を説明する。
図３は本発明の第１の実施例の内視鏡用バイポーラ高周波処置具の全体構成を示しており、例えば四フッ化エチレン樹脂チューブからなる電気絶縁性の可撓性シース７の基端に連結された操作部１０において、第２の指掛け１２を第１の指掛け１１に対して進退操作することにより、導電材からなる一対の弾性開閉部材２が可撓性シース７の先端から突没して開閉され、各弾性開閉部材２の先端に設けられた電極１の間に例えば血管１００等を把持することができる。
【０００９】
一対の弾性開閉部材２は、第１の指掛け１１に突設された一対の接点ピン１３と電気的に繋がっている。したがって、図示されていない高周波電源装置の出力コネクタ２０を接点ピン１３に接続することにより、一対の電極１の間に挟まれた血管１００に高周波電流が流れ、血管１００を電極１に挟まれた部分のみで焼灼、凝固して止血処置等を行うことができる。
【００１０】
図１と図２は本発明の第１の実施例の内視鏡用バイポーラ高周波処置具の先端部分を示しており、図１は一対の弾性開閉部材２が開いた状態を示し、図２は一対の弾性開閉部材２が可撓性シース７の先端内に引き込まれることにより窄まって閉じた状態を示している。
【００１１】
各弾性開閉部材２は導電性の良い板バネ材からなり、その先端に、血管１００等を把持するための導電材からなる電極１が電気的に導通するように固着されている。ただし弾性開閉部材２は線状のバネ材等であっても差し支えない。
【００１２】
一対の弾性開閉部材２は、弾性変形して窄まることができるように先側に向かって次第に広がった状態に配置されており、各弾性開閉部材２にはその表面が露出しないように電気絶縁被覆２ａが施されている。
【００１３】
可撓性シース７内には、例えば四フッ化エチレン樹脂チューブからなる電気絶縁性の筒状可撓軸５が、軸線方向に進退自在に全長にわたって挿通配置されている。
【００１４】
筒状可撓軸５内には、一対の導電線３が全長にわたって一緒に挿通配置されていて、そのうち一方の導電線３には全長にわたって電気絶縁被覆３ａが施されている。したがって、一対の導電線３の間は電気的に完全に絶縁されている。
【００１５】
筒状可撓軸５の先端には、図１におけるIV−IV断面を図示する図４及び、図４におけるＶ−Ｖ断面を図示する図５に示されるように、電気絶縁性の硬質プラスチック等からなる絶縁チップ６を介して一対の弾性開閉部材２の基端が連結固定されている。
【００１６】
絶縁チップ６には、図４に示されるように、筒状可撓軸５の内面に食い込んで強固に結合する突起８が突出形成されている。そして一対の弾性開閉部材２は、図５に示されるように、絶縁チップ６を挟む状態に固着されて互いの間が電気的に確実に絶縁されている。
【００１７】
また、弾性開閉部材２の外面と筒状可撓軸５の内面との間の空間９には、電気絶縁性のあるシリコンシーラント又はエポキシ系樹脂等が充填されていて、図１及び図２に示されるように、一対の弾性開閉部材２の基端に一対の導電線３の先端が各々接続されている。
【００１８】
このような構成により、可撓性シース７に対して筒状可撓軸５が基端側（即ち、手元側）から軸線方向に進退されると、その先端に連結された一対の弾性開閉部材２が可撓性シース７の先端から突没して、図２に示されるように可撓性シース７内に引き込まれた状態では、弾性開閉部材２が弾性変形して窄まり、図１に示されるように可撓性シース７から押し出されると、弾性開閉部材２自体の弾性によって広がる。
【００１９】
図６は操作部１０を示しており、一対の接点ピン１３が突設された第１の指掛け１１は電気絶縁材によって形成されて筒状可撓軸５の基端に連結固着されており、筒状可撓軸５内に挿通配置された一対の導電線３の基端が第１の指掛け１１内を通って一対の接点ピン１３に接続されている。
【００２０】
したがって、導電線３と弾性開閉部材２とを介して、一対の接点ピン１３と一対の電極１とが電気的に導通しており、一対の接点ピン１３が高周波電源の正極と負極に接続されることにより、一対の電極１が正電極と負電極になる。
【００２１】
また、第２の指掛け１２は可撓性シース７の基端に連結固着されているので、第１の指掛け１１と第２の指掛け１２とを相対的に進退操作することにより、筒状可撓軸５が可撓性シース７に対して軸線方向に進退し、弾性開閉部材２を開閉させることができる。
【００２２】
その際に第１の指掛け１１の動きを弾性開閉部材２に伝達するのは、二本の導電線３が全長にわたって挿通配置された状態の筒状可撓軸５であってその腰が十分に強いので、第１の指掛け１１の動作がスムーズに弾性開閉部材２に伝達されて、電極１を的確に開閉させることができる。
【００２３】
なお、本発明は上記実施例に限定されるものではなく、例えば操作部１０は、図７に示される第２の実施例のように、接点ピン１３が設けられた第１の指掛け１１を筒状可撓軸５の基端に連結して、接点ピン１３が設けられていない第２の指掛け１２を可撓性シース７の基端に連結してもよい。
【００２４】
また、図８及び図９に示されるように可撓性シース７を省略して、筒状可撓軸５を内視鏡３０の処置具挿通チャンネル３１に直接挿通すれば、処置具挿通チャンネル３１が第１の実施例の可撓性シース７の機能を果して、弾性開閉部材２を開閉させることができ、処置具挿通チャンネル３１の径が細い内視鏡３０に用いる場合等にはこのように構成してもよい。３２は、内視鏡３０の観察窓である。
【００２５】
【発明の効果】
本発明によれば、手元側の動きを弾性開閉部材に伝達するのは、一対の導電線が全長にわたって挿通配置された状態の筒状可撓軸であってその腰を十分に強くすることができるので、手元側からの押し引き操作による動作が先端の弾性開閉部材にスムーズに伝達されて、電極を的確に開閉させることができる。
【図面の簡単な説明】
【図１】本発明の第１の実施例の内視鏡用バイポーラ高周波処置具の先端部分の開状態の側面断面図である。
【図２】本発明の第１の実施例の内視鏡用バイポーラ高周波処置具の先端部分の閉状態の側面断面図である。
【図３】本発明の第１の実施例の内視鏡用バイポーラ高周波処置具の全体構成を示す外観図である。
【図４】本発明の第１の実施例の内視鏡用バイポーラ高周波処置具の図１におけるIV−IV断面図である。
【図５】本発明の第１の実施例の内視鏡用バイポーラ高周波処置具の図４におけるＶ−Ｖ断面図である。
【図６】本発明の第１の実施例の内視鏡用バイポーラ高周波処置具の操作部の側面断面図である。
【図７】本発明の第２の実施例の内視鏡用バイポーラ高周波処置具の操作部の側面断面図である。
【図８】本発明の第３の実施例の内視鏡用バイポーラ高周波処置具の先端部分の閉状態の側面断面図である。
【図９】本発明の第３の実施例の内視鏡用バイポーラ高周波処置具の先端部分の開状態の側面断面図である。
【符号の説明】
１  電極
２  弾性開閉部材
２ａ  電気絶縁被覆（絶縁材）
３  導電線
３ａ  電気絶縁被覆
５  筒状可撓軸
７  可撓性シース
１０  操作部
【図１】
0004495354.tif 000002
【図２】
0004495354.tif 000003
【図３】
0004495354.tif 000004
【図４】
0004495354.tif 000005
【図５】
0004495354.tif 000006
【図６】
0004495354.tif 000007
【図７】
0004495354.tif 000008
【図８】
0004495354.tif 000009
【図９】
0004495354.tif 000010